(57)【要約】      （修正有）【課題】傘で覆う範囲を実質的に拡げ、傘を拡げて使用しても雨によって濡れてしまう範囲を少なくして例えば背中部分、肩部分等が濡れないようにし、また、複数人であいあい傘で使用しても濡れることがない傘用の雨濡れ防止ガードを提供する。【解決手段】拡げた傘Ｕの外周の周縁長さに対応した水平方向での長さと、拡げた傘Ｕの周縁から垂れ下がり状となる所定高さとを備えた横長の矩形状を呈している遮蔽シート本体１と、この遮蔽シート本体１を傘Ｕの傘骨Ｐの末端部に着脱自在に掛止するよう遮蔽シート本体１の上縁に設けた連結支持部３とから成る。遮蔽シート本体１の高さは、拡げた傘Ｕが使用者を覆うように使用者によって使用されるときの使用者の肩部高さ位置、あるいは足元に至るものとする。遮蔽シート本体１には、端部相互が重なる合わせ目部位に開放部２を形成し、連結支持部３は、フック状に形成する。【選択図】図１
0003179352.tif 000002
【実用新案登録請求の範囲】
【請求項１】
拡げられた傘の外周の周縁長さに対応した水平方向での長さと、拡げられた傘の周縁から垂れ下がり状となる所定高さとを備えた横長の矩形状を呈している遮蔽シート本体と、この遮蔽シート本体を傘の傘骨の末端部に着脱自在に掛止するよう遮蔽シート本体の上縁に設けた連結支持部とから成ることを特徴とする傘用の雨漏れ防止ガード。
【請求項２】
遮蔽シート本体の高さは、拡げられた傘が使用者を覆うように使用者によって使用されるときの使用者の肩部高さ位置に至るものとしてある請求項１に記載の傘用の雨漏れ防止ガード。
【請求項３】
遮蔽シート本体の高さは、拡げられた傘が使用者を覆うように使用者によって使用されるときの使用者の足元に至るものとしてある請求項１に記載の傘用の雨漏れ防止ガード。
【請求項４】
遮蔽シート本体には、傘を囲繞したときの遮蔽シート本体の端部相互が重なる合わせ目部位に適宜間隔で合わせ目部分を開放させる開放部を形成してある請求項１乃至３のいずれかに記載の傘用の雨漏れ防止ガード。
【請求項５】
連結支持部は、フック状に形成してある請求項１乃至４のいずれかに記載の傘用の雨漏れ防止ガード。
【考案の詳細な説明】
【技術分野】
【０００１】
この考案は、例えば雨天時に使用される雨傘において、手で持って使用している雨傘によっては十分に覆われないことで、例えば使用者の肩部分、背中部分などが雨によっても、また雨傘の側方から吹き込むような雨に対しても濡れることがないようにした傘用の雨漏れ防止ガードに関する。
【背景技術】
【０００２】
従来から、雨天のときの外出等では一般的には雨傘を使用しており、頭上でこれを拡げ、片手で持つことで傘本体によって身体全体を覆うようにしている。ただ、拡げた傘によって頭上から身体を覆うようにしても、片手で傘を持つ以上、傘の中心は身体の片側前方に位置し、頭上の中心に傘を位置させることは極めて困難であるから、例えば背中部分や一方の肩部分が濡れてしまうことがある。
【０００３】
こうした点を解消すべく、例えば特許文献１に示される傘の中央に人を配置した傘、特許文献２に示される日傘等が提案されている。特許文献１の傘は、傘本体の一部を外方に大きく出張るように親骨の一部を長くし、いわば傘の中心位置を偏位させた構成とする。この特許文献１の傘によると、大きく出張っている部分が、例えば傘を持っていない他方の手の側に位置するようにすることで、傘を持っている手が身体の中心位置になくても、出張っている部分が身体の他方を覆うことで濡れることが解消されるとする。特許文献２の日傘は、傘の主軸の上端（石突き）に結束することで、親骨を拡げたときに傘布の周縁から前垂片が垂下されるようにした構成とする。この特許文献２の日傘によると、前垂片が日光を遮蔽することで紫外線を低減できるとする。
【先行技術文献】
【特許文献】
【０００４】
【特許文献１】特開２０１２−１１０６６０号公報
【特許文献２】登録実用新案第３１７３６７８号公報
【考案の概要】
【考案が解決しようとする課題】
【０００５】
ところが、特許文献１の傘によると、傘の一部が外方に大きく出張っているから、これを窄めたとき、その出張っている部分が傘の手元の握り部分に位置し、また、この握り部分よりも更に延びているようになると、窄めたときにはかえって邪魔であり、その取扱いが面倒である。また、特許文献２の日傘によると、傘を拡げたときの傘布の周縁外方に位置する前垂片が日光のみならず、雨をも遮蔽できるとしても、主軸の上端である石突きに前垂片が支持されていると、傘布が二重になって重量的に嵩張るものとなり、また傘布の周縁に留め具にて連結するとしたら、その連結作業は面倒で、取り扱いも不便である。
【０００６】
そこでこの考案は上述したような従来存した諸事情に鑑み案出されたもので、その目的は拡げた傘の周縁に傘の外周囲を囲繞する遮蔽シート本体を垂れ下がり状に着脱自在に連結することで、傘で覆う範囲を実質的に拡げ、傘を拡げて使用しても雨によって濡れてしまう範囲を少なくして例えば背中部分、肩部分等が濡れないようにし、また、遮蔽シート本体の高さを十分なものとすることで複数人であいあい傘で使用しても濡れることがないようにした傘用の雨漏れ防止ガードを提供することにある。
【課題を解決するための手段】
【０００７】
上述した課題を解決するため、この考案にあっては、後述する考案を実施するための形態における使用符号を付記して説明すると、拡げられた傘Ｕの外周の周縁長さに対応した水平方向での長さと、拡げられた傘Ｕの周縁から垂れ下がり状となる所定高さとを備えた横長の矩形状を呈している遮蔽シート本体１と、この遮蔽シート本体１を傘Ｕの傘骨Ｐの末端部に着脱自在に掛止するよう遮蔽シート本体１の上縁に設けた連結支持部３とから成ることを特徴とする。
また、遮蔽シート本体１の高さは、拡げられた傘Ｕが使用者を覆うように使用者によって使用されるときの使用者の肩部高さ位置に至るものとして、あるいは足元に至るものとして構成することができる。
遮蔽シート本体１には、傘Ｕを囲繞したときの遮蔽シート本体１の端部相互が重なる合わせ目部位に、適宜間隔で合わせ目部分を開放させる開放部２を形成して構成することができる。
連結支持部３は、フック状に形成することで構成することができる。
【０００８】
以上のように構成されたこの考案に係る傘用の雨漏れ防止ガードにあって、傘Ｕの外周縁に沿って連結支持部３によって掛止することで垂れ下がり状となって、傘Ｕの外周囲を囲繞する遮蔽シート本体１は、傘Ｕを使用する使用者の例えば肩部分、背中部分等が雨によって濡れるのを防止させる。
連結支持部３は、遮蔽シート本体１を傘Ｕの傘骨Ｐの末端部で掛止させることで遮蔽シート本体１を傘Ｕの外周縁に沿って垂れ下がり状に配置させ、開放部２は、傘Ｕの周囲を囲繞配置した遮蔽シート本体１の端部相互の合わせ目で開放させて、例えば遮蔽シート本体１が不透明であっても傘Ｕの内方から外方の状況を直接に視認させ、使用時の安全性を確保させる。
使用者の足元に至るように遮蔽シート本体１からの垂れ下がり状の高さとすることで、使用者の周囲全体を覆うことができ、例えば複数人で一つの傘Ｕを使用したとき、側方から雨が吹き込むようなときでも、雨で濡れることがない。
【考案の効果】
【０００９】
この考案は以上説明したように構成されているため、拡げた傘Ｕの周縁から傘Ｕの外周囲を囲繞する遮蔽シート本体１を垂れ下がり状に着脱自在に連結することで、傘Ｕで覆う範囲を実質的に拡げることができ、使用者が傘を拡げて使用しても雨によって濡れてしまう範囲を少なくして例えば背中部分、肩部分等が濡れないようにすることができる。また、遮蔽シート本体１の高さを例えば使用者の足元部位に至る程度に十分なものとすることで複数人であいあい傘で使用しても、側方から雨が吹き込んでもそれぞれが濡れることがない。
【００１０】
すなわちこれはこの考案において、拡げられた傘Ｕの外周の周縁長さに対応し、拡げられた傘Ｕの周縁から垂れ下がり状となる横長の矩形状を呈している遮蔽シート本体１と、この遮蔽シート本体１を傘Ｕの傘骨Ｐの末端部に着脱自在に掛止する連結支持部３とから成るからであり、これによって、使用者の例えば肩部分、背中部分等が濡れるのを防止でき、不使用では嵩張らずにコンパクトに折り畳み収納保管でき、十分な高さに設定することで使用者の全身を覆い、濡れないようにすることができる。
【００１１】
また、遮蔽シート本体１は横長矩形状であるから、不使用時ではコンパクトに折り畳み、例えば傘Ｕと共に収納保管でき、傘Ｕの使用時には傘Ｕの傘骨Ｐの末端部にフック状の連結支持部３によって掛止することで簡単に使用できる。
【００１２】
遮蔽シート本体１自体の高さを、例えば使用者の肩部高さ位置に至るまでの高さとしたり、足元に至るまでの高さとすることで、それぞれに対応して使用者の身体上部あるいは全身を濡れないように覆うことができ、また例えば親子などの複数人で一つの傘Ｕを使用しても共に濡れることがなく、側方から雨が吹き込むような場合でも濡れないようにすることができる。
【００１３】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１４】
【図１】この考案を実施するための一形態を示す一部省略の斜視図である。
【図２】同じく傘に連結した使用状態の斜視図である。
【図３】同じくその正面図である。
【図４】同じく他の実施の形態における使用状態の正面図である。
【考案を実施するための形態】
【００１５】
以下、図面を参照してこの考案を実施するための一形態を説明すると、図において示される符号１は所定の傘Ｕの周縁に、拡げられた傘Ｕの外周を囲繞するように周縁に沿って垂れ下がり状に配置されるようにした遮蔽シート本体である。この遮蔽シート本体１は、傘Ｕの周縁長さに対応した水平方向での長さと、例えば拡げられた傘Ｕを使用している使用者の肩部高さ位置に至る程度の高さとを備えた横長の矩形状を呈していて、折り畳み可能な薄肉シート状に形成されている。
【００１６】
この遮蔽シート本体１は、傘Ｕ外方からの雨に対して防水処理が施されており、シート自体を非透水性ある例えば合成樹脂製シート素材としたり、傘布と同様に少なくとも外表面に防水・撥水処理を施したりして成る。遮蔽シート本体１における防水処理は、外部からの雨を遮蔽シート本体１内方に浸入させないものとすれば足るから、これを充足すれば、その素材の選定、処理、方法等はいずれも特に限定されない。ただ、可能な限り肉薄、軽量で柔軟な素材とし、例えば防水・撥水処理用の例えば所定の塗布剤を塗布する場合、その処理によって重量的に増加することがないように考慮される。
【００１７】
遮蔽シート本体１は、透明素材によって形成することもでき、透明素材によって形成することで、傘Ｕの外周縁に沿って囲繞配置しても、傘Ｕの内方から外方を視認でき、雨中の歩行等に際しての安全性を向上できる。
【００１８】
また、この遮蔽シート本体１によって傘Ｕの周縁を囲繞するとき、遮蔽シート本体１の端部相互が重なる合わせ目部位においては、合わせ目部分を適宜間隔で開放させる開放部２を形成してある。この開放部２は図に示すように、例えば遮蔽シート本体１の端部それぞれにおいて、上縁から下縁に至るに伴い次第に拡がるように、上縁部位の幅員に比し下縁部位の幅員が大きくなっているいわば台形状に抉られているように形成してある。そして、例えば遮蔽シート本体１自体が不透明な素材によって形成されるとき、例えば外方を直接に視認できるように、また内外の通気性を図れるようにするのであり、遮蔽シート本体１自体が透明素材であるときには、この開放部２が形成されないこともある。
【００１９】
この遮蔽シート本体１を傘Ｕの周縁に沿って垂れ下がり状に配置すべく、遮蔽シート本体１の上縁には、傘Ｕの周縁部位における互いに隣接する傘骨Ｐ相互間の幅員に対応した間隔毎で連結支持部３を設けてある。図示例にあっての連結支持部３は傘骨Ｐに掛止するフック状に形成したもので、合成樹脂、金属その他の適宜素材によって形成されているフック材を遮蔽シート本体１の上縁に連結して成る。そして、傘Ｕの外周縁における傘骨Ｐと傘布との固定部の内方側の、傘骨Ｐと傘布との間隙内に挿入されて傘骨Ｐの末端部に掛止されるようにしてある。尚、連結支持部３によって傘骨Ｐに掛止されるとき、遮蔽シート本体１の上縁は傘Ｕの周縁部で覆われ、外側方からの雨の浸入を阻止すべく、その間に隙間が生じないようにされることが望ましい。もとより、この連結支持部３は遮蔽シート本体１と一体状にして同素材によって形成することも可能であり、これらは適宜に選定される。
【００２０】
また、遮蔽シート本体１自体の上下に沿う高さ（長さ）は、傘Ｕを拡げて手で持ったときに、例えば肩の高さ位置にまで垂れ下がり状に達する程度、例えば３００〜６００ｍｍ程度に形成されている。遮蔽シート本体１自体の周囲長さは傘Ｕにおける外周長さに対応しているから、不使用時の遮蔽シート本体１自体は横長なシート状を呈し、折り畳まれた状態で傘Ｕと共に保管収納されるものとなっている。
【００２１】
図４においては別の実施の形態が示されており、この実施の形態においては、遮蔽シート本体１自体の高さを、傘Ｕを拡げて垂れ下がり状に配置したときに、使用者の手などで持たれることで使用されるときの使用者の足元部分に至るまでのものとしてあり、こうすることで、例えば親子で共に同一の傘Ｕ内に入っていても、また、外側方から吹き込む雨によっても濡れることがないようにしてある。
【００２２】
次にこれの使用の一例を説明すると、雨天での傘Ｕの使用時に、傘Ｕの周縁における傘骨Ｐの末端部に、遮蔽シート本体１の上縁の連結支持部３を順次に掛止させることで傘Ｕの周囲を囲繞させるようにする。連結支持部３の掛止に際しては、傘Ｕを窄めさせた状態でも、拡げた状態のいずれでも差し支えなく、拡げられた傘Ｕの周縁で遮蔽シート本体１が垂れ下がり状となればよい。この状態で、通常の傘Ｕと同様に使用すれば良く、傘Ｕの周囲を囲繞する遮蔽シート本体１によって使用者の例えば肩部分、背中部分が雨によって濡れるのを防止する。また、足元までに至る高さを遮蔽シート本体１が備えていると、例えば親子で一つの傘Ｕを共に使用しても、また外側方から雨が吹き込んでも共に濡れることがない。不使用時では、傘Ｕから取り外された状態ではシート状であることで、折り畳んでコンパクトなものとして傘Ｕと共に保管収納しておく。
【符号の説明】
【００２３】
Ｕ…傘                                  Ｐ…傘骨
１…遮蔽シート本体                      ２…開放部
３…連結支持部
【図１】
0003179352.tif 000003
【図２】
0003179352.tif 000004
【図３】
0003179352.tif 000005
【図４】
0003179352.tif 000006